(57)【要約】      （修正有）【課題】ユニット式建物において、屋根全体の美観を保ちつつ、軒を隣地に侵入させずに設けることができて、出隅部や入隅部の軒先部を安定させられる屋根構造を提供する。【解決手段】略直方体状のフレームを有する建物ユニット２を複数組み合わせて建築されるユニット式建物１の屋根４の構造であって、最上階部分の建物ユニット２の上部から側方に突出して設けられる短尺の補助パネル５及び長尺の補助パネル６と、建物ユニット２及び補助パネル５・６の上に立てて設けられる複数の束と、その複数の束に支持される屋根パネルと、を備え、建物の出隅部において、略直交配置される一方の長尺の補助パネル６を建物ユニット２の短辺側に固定して、略直交配置される他方の長尺の補助パネル６を建物ユニット２の長辺側と一方の長尺の補助パネル６の一端側にそれぞれ固定する。【選択図】図１
2015214836.tif 000002
【特許請求の範囲】
【請求項１】
四隅に立てられる柱の上端間及び下端間を天井梁及び床梁でそれぞれ連結した略直方体状のフレームを有する建物ユニットを複数組み合わせて建築されるユニット式建物の屋根構造であって、
最上階部分の建物ユニットの上部から側方に突出して設けられる補助パネルと、
前記最上階部分の建物ユニット及び補助パネルの上に立てて設けられる複数の束と、
前記複数の束に支持される屋根パネルと、を備え、
建物の出隅部または入隅部において、略直交配置される一方の前記補助パネルを前記最上階部分の前記出隅部または入隅部を形成する前記建物ユニットの短辺側に固定して、前記略直交配置される他方の前記補助パネルを前記出隅部または入隅部を形成する前記建物ユニットの長辺側と前記一方の補助パネルにそれぞれ固定することを特徴とするユニット式建物の屋根構造。
【請求項２】
請求項１に記載のユニット式建物の屋根構造において、
前記出隅部の前記一方の補助パネルは、前記他方の補助パネルの一端側に沿わせる延長部を有し、
前記延長部に、前記他方の補助パネルの一端側が固定されることを特徴とするユニット式建物の屋根構造。
【請求項３】
請求項１に記載のユニット式建物の屋根構造において、
前記入隅部の前記一方の補助パネルは、前記入隅部を形成する一方の前記建物ユニットの短辺側に固定されて、
前記入隅部の前記他方の補助パネルは、前記入隅部を形成する他方の前記建物ユニットの長辺側と前記一方の補助パネルの一端側に固定されることを特徴とするユニット式建物の屋根構造。
【請求項４】
請求項１から３のいずれか一項に記載のユニット式建物の屋根構造において、
前記建物ユニットと補助パネル、及び補助パネル同士は、ブラケットを介してそれぞれ固定されることを特徴とするユニット式建物の屋根構造。
【請求項５】
請求項２に記載のユニット式建物の屋根構造において、
前記一方の補助パネルは、前記延長部との境に中間梁を有し、
前記中間梁が、前記出隅部を形成する前記建物ユニットにブラケットを介して固定されることを特徴とするユニット式建物の屋根構造。
【請求項６】
請求項４または５に記載のユニット式建物の屋根構造において、
前記最上階部分の建物ユニットの上には、長短の枠材によって形成され、かつ前記建物ユニットの天井梁によって形成される矩形枠状部と同形の小屋パネルが設けられており、
前記補助パネルは、前記ブラケットを介して前記小屋パネルに固定されることを特徴とするユニット式建物の屋根構造。
【請求項７】
請求項１から６のいずれか一項に記載のユニット式建物の屋根構造において、
隣接する複数の建物ユニットは離し置きされて、その間は繋ぎ梁で連結されており、
前記離し置きされた複数の建物ユニットに各々固定した前記補助パネルの前記離し置きに対応する間も繋ぎ梁で連結されることを特徴とするユニット式建物の屋根構造。
【発明の詳細な説明】
【技術分野】
【０００１】
本発明は、ユニット式建物の屋根構造に関する。
【背景技術】
【０００２】
従来から、住宅構造の一つとして、工場で製造された箱状の建物ユニットが建築現場で複数組み合わせられることで構築されるユニット式建物が知られている。建物ユニットは、四隅に立設される４本の柱と、これらの柱の上端間同士及び下端間同士をそれぞれ連結する天井梁及び床梁とから構成される。
【０００３】
このように構成されるユニット式建物の最上階部分にバルコニーを設け、バルコニーの上方に軒を設けようとする場合、屋根の端部がバルコニーの上方を覆うように屋根パネルを延出して設ける方法が考えられる（例えば、特許文献１参照）。
【先行技術文献】
【特許文献】
【０００４】
【特許文献１】特開２０１１−２３６７００号公報
【発明の概要】
【発明が解決しようとする課題】
【０００５】
しかしながら、屋根パネルを延出してバルコニーの上方に軒を形成すると、都市型住宅地等のように隣地との間隔が狭い場合に、バルコニー側とそれ以外の屋根パネルの軒が隣地に侵入してしまう場合があり、好ましくない。
これに対しては、例えばバルコニーの上方の屋根パネルのみを延出させて軒を形成し、それ以外の部分の屋根パネルは隣地に侵入しないように、勾配を変えないで小屋裏空間を確保しつつ軒出を抑えて形成する場合、屋根パネル端部と建物との間に隙間ができ、その隙間を覆うために見付幅の大きい幕板等を設けて構成する屋根構造が考えられる。
【０００６】
このように屋根構造を構成することにより、バルコニーの上方に軒を設けつつ、軒先が隣地に侵入することを防止できるものであるが、バルコニー側の屋根パネル端部のみからなる軒先と、それ以外の幕板からなる軒先とでデザインが異なってしまい、美観が損なわれるという問題が生じる。
そして、バルコニー側の軒は束に支持されていないため、安定性に欠けるという問題もある。
【０００７】
さらに、このような問題は、屋根の出隅部や入隅部といった直角をなす二方向の軒先部において顕著となる。
【０００８】
そこで、本発明は、ユニット式建物において、屋根全体の美観を保ちつつ、軒を隣地に侵入させずに設けることができて、出隅部や入隅部の軒先部を安定させられる屋根構造を提供することを目的とする。
【課題を解決するための手段】
【０００９】
以上の課題を解決するため、請求項１に記載の発明は、例えば図１から図５に示すように、
四隅に立てられる柱の上端間及び下端間を天井梁及び床梁でそれぞれ連結した略直方体状のフレームを有する建物ユニット２を複数組み合わせて建築されるユニット式建物１の屋根構造であって、
最上階部分の建物ユニット２の上部から側方に突出して設けられる補助パネル５・６と、
前記最上階部分の建物ユニット２及び補助パネル５・６の上に立てて設けられる複数の束４２と、
前記複数の束４２に支持される屋根パネル４１と、を備え、
建物の出隅部または入隅部において、略直交配置される一方の前記補助パネル６（５）を前記最上階部分の前記出隅部または入隅部を形成する前記建物ユニット２の短辺側に固定して、前記略直交配置される他方の前記補助パネル６を前記出隅部または入隅部を形成する前記建物ユニット２の長辺側と前記一方の補助パネル６（５）にそれぞれ固定することを特徴とする。
【００１０】
請求項１に記載の発明によれば、ユニット式建物１において、最上階部分の建物ユニット２の上部から側方に突出して設けられる補助パネル５・６と、最上階部分の建物ユニット２及び補助パネル５・６の上に立てて設けられる複数の束４２と、その複数の束４２に支持される屋根パネル４１と、を備える屋根４の構造なので、突出する軒先とそれ以外の軒先とのデザインを統一させて屋根全体の美観を保ちつつ、隣地に軒を侵入させることなく、突出する軒を設けることができる。
また、建物ユニット２に設けられる補助パネル５・６の上に束４２が建てられて、その束４２に屋根パネル４１が支持されるので、突出する軒を構成する屋根パネル４１が補助パネル５・６及び束４２に支持されて、安定性の高い軒を設けることができる。
そして、建物の出隅部または入隅部において、略直交配置される一方の補助パネル６（５）を最上階部分の出隅部または入隅部を形成する建物ユニット２の短辺側に固定して、略直交配置される他方の補助パネル６を出隅部または入隅部を形成する建物ユニット２の長辺側と一方の補助パネル６（５）にそれぞれ固定する構造なので、出隅部や入隅部の軒先部を安定させることができる。
【００１１】
請求項２に記載の発明は、例えば図１、図３に示すように、
請求項１に記載のユニット式建物１の屋根構造において、
前記出隅部の前記一方の補助パネル６は、前記他方の補助パネル６の一端側に沿わせる延長部６２を有し、
前記延長部６２に、前記他方の補助パネル６の一端側が固定されることを特徴とする。
【００１２】
請求項２に記載の発明によれば、出隅部において、一方の補助パネル６の延長部６２を他方の補助パネル６の一端側に沿わせて固定する構造により、出隅部の軒先部を安定させることができる。
【００１３】
請求項３に記載の発明は、例えば図４、図５に示すように、
請求項１に記載のユニット式建物１の屋根構造において、
前記入隅部の前記一方の補助パネル５は、前記入隅部を形成する一方の前記建物ユニット２の短辺側に固定されて、
前記入隅部の前記他方の補助パネル６は、前記入隅部を形成する他方の前記建物ユニット２の長辺側と前記一方の補助パネル５の一端側に固定されることを特徴とする。
【００１４】
請求項３に記載の発明によれば、入隅部において、一方の建物ユニット２の短辺側に一方の補助パネル５を固定して、他方の建物ユニット２の長辺側と一方の補助パネル５の一端側に他方の補助パネル６を固定する構造により、入隅部の軒先部を安定させることができる。
【００１５】
請求項４に記載の発明は、例えば図３、図５に示すように、
請求項１から３のいずれか一項に記載のユニット式建物１の屋根構造において、
前記建物ユニット２と補助パネル５・６、及び補助パネル５・６・６同士は、ブラケットを介してそれぞれ固定されることを特徴とする。
【００１６】
請求項４に記載の発明によれば、建物ユニット２と補助パネル５・６、及び補助パネル５・６・６同士を、ブラケット８を介してそれぞれ固定する構造により、建物ユニット２に対し補助パネル５・６を強固に固定できるとともに、補助パネル５・６・６同士も強固に固定することができる。
【００１７】
請求項５に記載の発明は、例えば図３、図５に示すように、
請求項２に記載のユニット式建物１の屋根構造において、
前記一方の補助パネル６は、前記延長部６２との境に中間梁６１を有し、
前記中間梁６１が、前記出隅部を形成する前記建物ユニット２にブラケット８を介して固定されることを特徴とする。
【００１８】
請求項５に記載の発明によれば、出隅部において、一方の補助パネル６の延長部６２との境の中間梁６１を建物ユニット２の柱にブラケット８を介して固定する構造により、延長部６２を有する補助パネル６を中間梁６１で補強するとともに、その延長部６２を有する補助パネル６の荷重を中間梁６１から建物ユニット２に伝えて、出隅部の軒先部をさらに安定させることができる。
【００１９】
請求項６に記載の発明は、例えば図２、図３、図５に示すように、
請求項４または５に記載のユニット式建物１の屋根構造において、
前記最上階部分の建物ユニット２の上には、長短の枠材によって形成され、かつ前記建物ユニット２の天井梁によって形成される矩形枠状部と同形の小屋パネル２１が設けられており、
前記補助パネル５・６は、前記ブラケット８を介して前記小屋パネル２１に固定されることを特徴とする。
【００２０】
請求項６に記載の発明によれば、最上階部分の建物ユニット２の上に、長短の枠材によって形成され、かつ建物ユニット２の天井梁によって形成される矩形枠状部と同形の小屋パネル２１が設けられているので、屋根パネル４１の荷重を複数の束４２から小屋パネル２１を介して建物ユニット２に伝達させて、建物ユニット２の耐久性を向上させることができる。
そして、その小屋パネル２１にブラケット８を介して補助パネル５・６を固定する構造により、補助パネル５・６の荷重をブラケット８及び小屋パネル２１を介して建物ユニット２に伝達させて、建物ユニット２の耐久性を向上させることができる。
【００２１】
請求項７に記載の発明は、例えば図１〜図３に示すように、
請求項１から６のいずれか一項に記載のユニット式建物１の屋根構造において、
隣接する複数の建物ユニット２は離し置きされて、その間は繋ぎ梁３で連結されており、
前記離し置きされた複数の建物ユニット２に各々固定した前記補助パネル５・６の前記離し置きに対応する間も繋ぎ梁７で連結されることを特徴とする。
【００２２】
請求項７に記載の発明によれば、離し置きして繋ぎ梁３で連結された複数の建物ユニット２に各々固定した補助パネル５・６の離し置きに対応する間も繋ぎ梁７で連結する構造により、離し置きした複数の建物ユニット２に対し各々の補助パネル５・６を固定して、その離し置き間を繋ぎ梁７で一体化することができる。
【発明の効果】
【００２３】
本発明によれば、ユニット式建物において、屋根全体の美観を保ちつつ、軒を隣地に侵入させずに設けることができて、出隅部や入隅部の軒先部を安定させることができる。
【図面の簡単な説明】
【００２４】
【図１】本発明に係るユニット式建物の屋根構造を示す概略平面図である。
【図２】図１の屋根部の縦断面図である。
【図３】図１の出隅部を含む補助パネルの結合構造を示す平面図である。
【図４】実施形態２の屋根構造を示す概略平面図である。
【図５】図４の入隅部を含む補助パネルの結合構造を示す平面図である。
【発明を実施するための形態】
【００２５】
以下、図面を参照して本発明の実施の形態について説明する。
（実施形態１）
図１は本発明に係るユニット式建物の屋根構造を示すもので、ユニット式建物１は、四隅に立てられる柱の上端間及び下端間を天井梁及び床梁でそれぞれ連結した略直方体状のフレームを有する建物ユニット２を上下及び前後左右（平屋の場合は前後左右のみ）に複数組み合わせて建築されている。
図示例では、左右の建物ユニット２は離し置きとなっていて、その間は繋ぎ梁３でボルト結合により連結されていて、２階または３階の最上階（平屋の場合は１階）部分の建物ユニット２上に屋根４が設けられている。
【００２６】
図２は図１の屋根４を縦断面で示したもので、屋根パネル４１を、最上階部分の建物ユニット２上に立てられる複数の束４２で支持して構成されている。
また、最上階部分の建物ユニット２の上には、長短の枠材によって形成され、かつ建物ユニット２の天井梁によって形成される矩形枠状部と同形の小屋パネル２１が設けられている。
そして、最上階部分の建物ユニット２には、上部から側方に突出して補助パネル５・６が設けられている。
【００２７】
より詳細に説明すると、最上階部分の建物ユニット２は、当該建物ユニットの上に設けられた小屋パネル２１を含んで構成される。
補助パネル５・６は、小屋パネル２１に固定されるものとし、補助パネル５・６及び屋根パネル４１の荷重は、小屋パネル２１を介して建物ユニット２に伝達される。
【００２８】
すなわち、ユニット式建物１の略直交して出隅部を形成する二側面部において、最上階部分の建物ユニット２の小屋パネル２１の短辺上部から側方に突出して短尺の補助パネル５が設けられるとともに、最上階部分の建物ユニット２の小屋パネル２１の長辺上部から側方に突出して長尺の補助パネル６が設けられている。
これら短尺の補助パネル５及び長尺の補助パネル６は、建物ユニット２の小屋パネル２１と同一高さでその延長上に位置して、建物ユニット２の短辺部よりも突出幅が小さい板状部材である。
【００２９】
そして、短尺の補助パネル５及び長尺の補助パネル６の上にも複数の束４２が建てられて屋根パネル４１を支持している。
なお、束４２は、補助パネル５・６を構成する複数の枠材同士や、補助パネル５・６に隣り合う小屋パネル２１の枠材に跨って設けられる。
また、短尺の補助パネル５と長尺の補助パネル６との離れ置きの間は、繋ぎ梁７でボルト結合により連結されている。
【００３０】
短尺の補助パネル５は、建物ユニット２の小屋パネル２１の短辺部両端に対し両端部がブラケット８（図３参照）でボルト結合により強固に連結されている。
長尺の補助パネル６も、建物ユニット２の小屋パネル２１の長辺部両端及びその中間部に対し両端部及び中間梁６１部がブラケット８でボルト結合により強固に連結されている。
【００３１】
図３は図１の出隅部を含む三枚の補助パネル５・６・６の結合構造を示すもので、建物ユニット２の小屋パネル２１の短辺部両端に溶接したブラケット８に対し、短尺の補助パネル５の両端部が、補強の機能を具備する受け板８１を介してボルト結合により強固に連結されている。
【００３２】
そして、長尺の補助パネル６が略直交する出隅部においては、建物ユニット２の小屋パネル２１の短辺部両端に溶接したブラケット８に対し、長尺の補助パネル６の一端部及び中間梁６１部が受け板８１を介してボルト結合により強固に連結されている。
この長尺の補助パネル６は、同じ建物ユニット２の小屋パネル２１の長辺部両端及びその中間部に対し両端部及び中間梁６１部がブラケット８及び受け板８１でボルト結合により強固に連結した他方の長尺の補助パネル６の一端側に沿って図示左側に突出する延長部６２を有している。
この延長部６２に、他方の長尺の補助パネル６の一端側が固定される。
【００３３】
すなわち、建物ユニット２の小屋パネル２１の短辺部に連結した長尺の補助パネル６の延長部６２の先端が、同じ建物ユニット２の小屋パネル２１の長辺部に連結した他方の長尺の補助パネル６の一端部先端に溶接したブラケット８に対し、受け板８１を介してボルト結合により強固に連結されている。
【００３４】
また、短尺の補助パネル５と長尺の補助パネル６との離れ置きの間は、一対の繋ぎ梁７に加えて、一対の野縁７１でボルト結合により連結されている。
【００３５】
以上、実施形態のユニット式建物１の屋根４によれば、最上階部分の建物ユニット２の上部から側方に突出して設けられる補助パネル５・６と、最上階部分の建物ユニット２及び補助パネル５・６の上に立てて設けられる複数の束４２と、その複数の束４２に支持される屋根パネル４１と、を備える構造なので、突出する軒先とそれ以外の軒先とのデザインを統一させて屋根全体の美観を保ちつつ、隣地に軒を侵入させることなく、突出する軒を設けることができる。
【００３６】
また、建物ユニット２に設けられる補助パネル５・６の上に束４２が建てられて、その束４２に屋根パネル４１が支持されるので、突出する軒を構成する屋根パネル４１が補助パネル５・６及び束４２に支持されて、安定性の高い軒を設けることができる。
【００３７】
そして、建物の出隅部において、一方の長尺の補助パネル６を建物ユニット２の短辺側に固定して、他方の長尺の補助パネル６を建物ユニット２の長辺側と一方の長尺の補助パネル６にそれぞれ固定する構造なので、出隅部の軒先部を安定させることができる。
すなわち、出隅部において、一方の長尺の補助パネル６の延長部６２を他方の長尺の補助パネル６の一端側に沿わせて固定する構造により、出隅部の軒先部を安定させることができる。
【００３８】
さらに、出隅部において、一方の長尺の補助パネル６の延長部６２との境の中間梁６１を建物ユニット２の小屋パネル２１にブラケット８を介して固定する構造により、延長部６２を有する長尺の補助パネル６を中間梁６１で補強するとともに、その長尺の補助パネル６の荷重を中間梁６１から小屋パネル２１を介して建物ユニット２に伝えて、出隅部の軒先部をさらに安定させることができる。
【００３９】
また、建物ユニット２と補助パネル５・６、及び補助パネル５・６・６同士を、ブラケット８及び受け板８１を介してそれぞれ固定する構造により、建物ユニット２に対し補助パネル５・６を強固に固定できるとともに、補助パネル５・６・６同士も強固に固定することができる。
【００４０】
また、最上階部分の建物ユニット２の上に、長短の枠材によって形成され、かつ建物ユニット２の天井梁によって形成される矩形枠状部と同形の小屋パネル２１が設けられているので、屋根パネル４１の荷重を複数の束４２から小屋パネル２１を介して建物ユニット２に伝達させて、建物ユニット２の耐久性を向上させることができる。
そして、その小屋パネル２１にブラケット８を介して補助パネル５・６を固定する構造により、補助パネル５・６の荷重をブラケット８及び小屋パネル２１を介して建物ユニット２に伝達させて、建物ユニット２の耐久性を向上させることができる。
【００４１】
また、離し置きして繋ぎ梁３で連結された複数の建物ユニット２に各々固定した補助パネル５・６の離し置きに対応する間も繋ぎ梁７で連結する構造により、離し置きした複数の建物ユニット２に対し各々の補助パネル５・６を固定して、その離し置き間を繋ぎ梁７で一体化することができる。
【００４２】
（実施形態２）
図４は実施形態２の屋根構造を示すもので、図示例のユニット式建物１においては、略直交して入隅部を形成する二側面部において、最上階部分の建物ユニット２の短辺上部から側方に突出して短尺の補助パネル５が設けられるとともに、最上階部分の建物ユニット２の長辺上部から側方に突出して長尺の補助パネル６が設けられている。
【００４３】
図５は図４の入隅部を含む二枚の補助パネル５・６の結合構造を示すもので、入隅部においては、建物ユニット２の小屋パネル２１の短辺部両端に対し短尺の補助パネル５の両端部がブラケット８及び受け板８１でボルト結合により強固に連結されている。
【００４４】
そして、図示左側の建物ユニット２の長辺部には、短尺の補助パネル５と略直交に長尺の補助パネル６が配置されて、その長尺の補助パネル６の一端部と中間梁６１部が建物ユニット２の小屋パネル２１の長辺部の中間部と他端側に対しブラケット８及び受け板８１でボルト結合により強固に連結されている。
また、図示左側の小屋パネル２１には、長尺の補助パネル６の図示上辺部と略一直線上に位置する中間梁２２が設けられている。
さらに、この長尺の補助パネル６の図示上側の先端部が、図示上側の短尺の補助パネル５の中間部にブラケット８及び受け板８１でボルト結合により強固に連結されている。
【００４５】
なお、この長尺の補助パネル６の図示下側の延長部６２は、同じ建物ユニット２の短辺部に結合した短尺の補助パネル５と出隅部を形成するため、図３と同様にしてブラケット８及び受け板８１でボルト結合により短尺の補助パネル５に結合される。
【００４６】
以上、実施形態２のユニット式建物１の屋根４によっても、前述した実施形態と同様の効果を得ることができ、特に、建物の入隅部において、短尺の補助パネル５を一方の建物ユニット２の短辺側に固定して、長尺の補助パネル６を他方の建物ユニット２の長辺側と短尺の補助パネル５にそれぞれ固定する構造なので、入隅部の軒先部を安定させることができる。
【００４７】
すなわち、入隅部において、一方の建物ユニット２の短辺側に短尺の補助パネル５を固定して、他方の建物ユニット２の小屋パネル２１の長辺側と短尺の補助パネル５の一端側に長尺の補助パネル６を固定する構造により、入隅部の軒先部を安定させることができる。
【００４８】
（変形例）
以上の実施形態においては、最上階部分の建物ユニットに小屋パネルを設けたが、本発明はこれに限定されるものではなく、小屋パネルは無くてもよい。その場合、補助パネルは、建物ユニットの柱の上端部、柱と梁を接合するダイヤフラム、梁の中間部などにブラケット介して強固に連結される。
また、補助パネルの構造等も任意であり、その他、具体的な細部構造等についても適宜に変更可能であることは勿論である。
【符号の説明】
【００４９】
１  ユニット式建物
２  建物ユニット
２１  小屋パネル
３  繋ぎ梁
４  屋根
４１  屋根パネル
４２  束
５  短尺の補助パネル
６  長尺の補助パネル
６１  中間梁
６２  延長部
７  繋ぎ梁
７１  野縁
８  ブラケット
８１  受け板
【図１】
2015214836.tif 000003
【図２】
2015214836.tif 000004
【図３】
2015214836.tif 000005
【図４】
2015214836.tif 000006
【図５】
2015214836.tif 000007